(57)【要約】      （修正有）【課題】入浴する際に両足を順番に載せ、足底を洗うことができる吸着式入浴サポート台座を提供する。【解決手段】吸着式入浴サポート台座は、本体１０と、少なくても１つの吸着装置２０と、踏板３０と、サポート部４０とを含む。本体には背板１１と、背板の上方から前へ伸びる頂部１２がある。背板には盛り上がるカバー１３があり、背板の下方には定位座１４という突起部分があり、定位座の端に固定孔１４１という凹みがある。吸着装置には操作ハンドル２１にコントロールされる吸盤があり、吸盤は背板の後方にロッドによってカバーの中空孔柱の中に穿設するため、カバー前面の溝にロッドが操作ハンドルと枢着する。またカバーと吸盤の間にバネを設け、踏板は本体の頂部の前に枢着することによって、踏板は上へ捻り開けるか又は頂部と背板の間にある階段状の空間内に収められる。サポート部は本体と踏板の間に設けられるため、踏板と枢着し、底縁には係止片４１が伸びる。【選択図】図２
0003196325.tif 000002
【実用新案登録請求の範囲】
【請求項１】
本体と、少なくても１つの吸着装置と、踏板と、サポート部とを含む吸着式入浴サポート台座であって、
本体は背板と、背板の上方から前へ伸びる頂部とを有し、該背板には吸着装置の取り付けための、盛り上がるカバー少なくとも１つが設けられ、背板の下方には前方へ突起する定位座が設けられ、該定位座の側端には固定孔が凹設され、
吸着装置には操作ハンドルにコントロールされる吸盤を有し、該吸盤は背板の後方にロッドによってカバーの中空孔柱の中に穿設されるため、カバー前面の溝にロッドが操作ハンドルと枢着し、操作ハンドルを回すことによって操作ハンドルが偏心してカバーに押し当て、かつ吸盤を引っ張らせることができることにより、内部に真空吸引力を生じさせ、かつ該カバーと吸盤の間にバネが設けられ、踏板は本体の頂部の前方に枢着し、それによって、踏板は上へ回り開けることができるか、又は頂部と背板間の階段状の空間内に収められ、
サポート部は、本体と踏板の間に設けられ、それによって、踏板と枢着し、底縁には係止片が伸びる、
吸着式入浴サポート台座。
【請求項２】
本体の頂部にはレッジが突出し、該レッジにより当接が提供されて、踏板の最大展開角度を制限することができることを特徴とする請求項１の吸着式入浴サポート台座。
【請求項３】
本体の背板の底縁にはソケット部が突出し、該ソケット部によってサポートロッドを接続することを特徴とする請求項１の吸着式入浴サポート台座。
【請求項４】
前記サポートロッドは伸縮できるロッドであることを特徴とする請求項３の吸着式入浴サポート台座。
【請求項５】
本体の背板には少なくても１つの補助吸盤が固定されることを特徴とする請求項１の吸着式入浴サポート台座。
【請求項６】
踏板には多数の粒状滑り止め突起があることを特徴とする請求項１の吸着式入浴サポート台座。
【請求項７】
サポート部はＵ字リング状であることを特徴とする請求項１の吸着式入浴サポート台座。
【請求項８】
定位座の上にはバネの弾力によってサポートされるフックが枢着し、サポート部の係止片の上にはフック孔が設けされることを特徴とする請求項１の吸着式入浴サポート台座。
【請求項９】
サポート部の表面には多数の補強リブが存在することを特徴とする請求項１の吸着式入浴サポート台座。
【考案の詳細な説明】
【技術分野】
【０００１】
本考案は、吸着式入浴サポート台座に関し、特に入浴する際に両足を順番に載せ、足底を洗うことを提供する吸着式入浴サポート台座に関する。
【背景技術】
【０００２】
忙しい一日の終わりにバスタイムでリラックスできたら、疲れた体が癒されて至福の時間である。しかし、入浴時に足底を洗うために片足立ちし、もう一本の足だけで立たなければならない形となるが、浴室の床は滑りやすいため、片足立ちする際に不意にバランスを崩したら、転倒して怪我しやすくなり、行う際に安全面の心配がある。もし座って洗う場合、もう一脚の椅子を置かないとならないため、元々狭い浴室が余計に狭く感じてしまう。
従って、上述のような入浴時に存在する欠点について研究改良することが実に関係業界が努力して研究開発する目標である。本考案者はこれらを鑑み、創作の意を芽生え、長年の経験に基づいて設計し、多方面に探究した上に試作品を制作し、修正改良を重ねた上に本考案を生み出した。
【考案の概要】
【考案が解決しようとする課題】
【０００３】
従来は足底を洗う時の方法として、片足立ちし、もう一本の足だけで立たなければならないである。もし座って洗う場合、もう一脚の椅子を置かなければならないため、これらは解決しようとする問題点である。
【課題を解決するための手段】
【０００４】
本考案は吸着式入浴サポート台座を提供する。吸着式入浴サポート台座は、本体と、少なくても１つの吸着装置と、踏板と、サポート部とを含む。その中、本体には背板と、背板の上方から前へ伸びる頂部がある。上記背板には盛り上がるカバーがあり、該カバーは吸着装置の取り付けに用いられる。背板の下方には定位座という突起部分が設けられ、該定位座の端には固定孔という凹みが設けられる。吸着装置には操作ハンドルにコントロールされる吸盤が設けられる、該吸盤は背板の後方にロッドによってカバーの中空孔柱の中に穿設されるため、カバー前面の溝にロッドが操作ハンドルと枢着し、操作ハンドルを回すことによって操作ハンドルが偏心してカバーにあたり、しかも吸盤も引っ張られるため、内部に真空吸引力が生じる。また該カバーと吸盤の間にバネを設け、踏板は本体の頂部の前に枢着することによって、踏板は上へ捻り開けるか又は頂部と背板の間にある階段状の空間内に収められる。また、踏板の正面には多数の滑り止め突起部分があり、背面はサポート部と枢着する。サポート部はＵ字リングで、底縁には係止片が伸びる。
従来の製品と照らし合わせてみると、以下の利点がある。すなわち、
（一）本考案に係る吸着式入浴サポート台座によれば、吸盤の吸着を利用して、物を傷付けることなく固定できる。使用者の身長や足の長さの違いによって、踏板の高さを調整したい時は速やかに取り外しができる上、もう一度取り付けることができるため、使用する際には便利なだけでなく、変化に富んだものである。
（二）本考案に係る吸着式入浴サポート台座によれば、使用者が入浴の際に足底を洗いたい場合、両足を順番に踏板の上に載せてから洗えるため、片足立ちによって転倒してしまうことなく、入浴がより安全である。
（三）本考案に係る吸着式入浴サポート台座によれば、吸着式入浴サポート台座を使用しない場合は、踏板を頂部と背板の間にある階段状の空間内に収められることによって、体積を有効的に小さくし、広くない浴室の空間をさらに占用されることを回避できる。
【図面の簡単な説明】
【０００５】
【図１】図１は、本考案の吸着式入浴サポート台座を示す立体組立図である。
【図２】図２は、本考案の吸着式入浴サポート台座を示す立体分解図である。
【図３】図３は、本考案の吸着式入浴サポート台座を示す組立断面及び踏板展開図である。
【図４】図４は、本考案の吸着式入浴サポート台座を示す吸着状態図である。
【図５】図５は、本考案の吸着式入浴サポート台座に入浴時に片足を載せることを示す使用状態図である。
【図６】図６は、本考案の吸着式入浴サポート台座の踏板が収められる時を示す立体図である。
【図７】図７は、本考案の吸着式入浴サポート台座の踏板が収められる時を示す断面図である。
【図８】図８は、本考案の吸着式入浴サポート台座にサポートロッドを付け加えた時を示す実施例図である。
【考案を実施するための形態】
【０００６】
まず、図１から図３を参照されたい。吸着式入浴サポート台座は本体（１０）、少なくても１つの吸着装置（２０）、踏板（３０）とサポート部（４０）を含む。その中、本体（１０）には背板（１１）と、背板（１１）の上方から前へ伸びる頂部（１２）がある。上記背板（１１）には盛り上がるカバー（１３）があり、該カバー（１３）は吸着装置（２０）の取り付けに用いられる。背板（１１）の下方には定位座（１４）という突起部分があり、該定位座（１４）の端に固定孔（１４１）という凹みがある。吸着装置（２０）には操作ハンドル（２１）にコントロールされる吸盤（２２）があり、該吸盤（２２）は背板（１１）の後方にロッド（２２１）によってカバー（１３）の中空孔柱（１３１）の中に穿設するため、カバー（１３）前面の溝（１３２）にロッド（２２１）が操作ハンドル（２１）と枢着し、操作ハンドル（２１）を回すことによって操作ハンドルが偏心してカバー（１３）にあたり、しかも吸盤（２２）も引っ張られるため、内部に真空吸引力が生じる。また該カバー（１３）と吸盤（２２）の間にバネ（２３）を設け、踏板（３０）は本体（１０）の頂部（１２）の前に枢着することによって、踏板（３０）は上へ捻り開けるか又は頂部（１２）と背板（１１）の間にある階段状の空間内に収められる。また、踏板（３０）の正面には多数の滑り止め突起部分（３１）があり、背面はサポート部（４０）と枢着する。サポート部（４０）はＵ字リングで、底縁には係止片（４１）が伸びる。
【０００７】
次は図３と図４を参照されたい。実際に使用する時、まず踏板（３０）を上へ捻り開けて、吸着装置（２０）の操作ハンドル（２１）を外側に引き、吸盤（２２）は浴室の壁（６０）に向かせた後、操作ハンドル（２１）を内側へ押さえ、壁（６０）に吸着させる。踏板（３０）を上へ捻り開けることによって、踏板（３０）と本体（１０）の間にサポート部（４０）を下へ回転する空間が形成され、係止片（４１）を固定孔（１４１）に挿し込んで定位することによって、サポート部（４０）は本体（１０）と踏板（３０）の間で斜めに設置できるため、サポート部（４０）の支えによって踏板（３０）が力に負けて下へ回転しないように制限する。この時、両足を順番に踏板（３０）に載せて洗える（同時に図５を参照されたい）ようになり、使用者は片足立ちによって転倒してしまうことがなくなる。使用しない時、サポート部（４０）を定位座（１４）から外して、踏板（３０）を頂部（１２）と背板（１１）の間にある階段状の空間内に収められる（同時に図６と図７を参照されたい）。体積を有効的に小さくし、広くない浴室の空間にもかさばらないである。
【０００８】
本考案に係る吸着式入浴サポート台座において、定位座（１４）の上にバネの弾力によって支えるフック（１４２）が枢着し、サポート部（４０）の係止片（４１）の上にフック孔（４１１）を設け、サポート部（４０）は本体（１０）と踏板（３０）の間で斜めに設置する時、該フック（１４２）がフック孔（４１１）に引っ掛ける（同時に図４を参照されたい）ことによって、サポート部（４０）に対して二重に定位する。
【０００９】
本考案に係る吸着式入浴サポート台座において、サポート部（４０）の表面に多数の補強リブ（４０１）が存在する。
本考案に係る吸着式入浴サポート台座において、本体（１０）の頂部（１２）にはレッジ（１２１）が突出し、該レッジ（１２１）が支えとなり、踏板（３０）の最大展開角度を制限する。
本考案に係る吸着式入浴サポート台座において、本体（１０）の背板（１１）の底縁にはソケット部（１１１）が突出し、該ソケット部（１１１）によってサポートロッド（５０）を接続する（同時に図８を参照されたい）。該サポートロッド（５０）の支えにより、吸盤（２２）が受ける力を分散でき、また該サポートロッド（５０）は伸縮できるパイプである。
本考案に係る吸着式入浴サポート台座において、本体（１０）の背板（１１）には少なくても１つの補助吸盤（１５）が固定される。
【００１０】
上述の具体的な実施例の構造により、以下の効果が得られる。（一）吸盤（２２）の吸着を利用して、物を傷付けることなく固定できる。使用者の身長や足の長さの違いによって、踏板（３０）の高さを調整したい時は速やかに取り外しができる上にもう一度取り付けることができるため、使用面には便利だけでなく、変化に富んだものである。（二）使用者が入浴の際に足底を洗いたい場合、両足を順番に踏板（３０）の上に載せてから洗えるため、片足立ちによって転倒してしまうことなく、入浴がより安全となる。（三）吸着式入浴サポート台座を使用しない場合は、踏板（３０）を頂部（１２）と背板（１１）の間にある階段状の空間内に収められ、体積を有効的に小さくし、広くない浴室の空間をさらに占用されることを回避できる。
以上は、本考案の良い実施例の一部しか過ぎないため、本考案の実施範囲を制限するものではない。即ち、本実用新案登録請求の範囲内で行われる変化、修正なども本考案の範囲内に属すべきである。
【符号の説明】
【００１１】
１０        本体
１１        背板
１１１      ソケット部
１２        頂部
１２１      レッジ
１３        カバー
１３１      中空孔柱
１３２      溝
１４        定位座
１４１      固定孔
１４２      フック
１５        補助吸盤
２０        吸着装置
２１        操作ハンドル
２２        吸盤
２２１      ロッド
２３        バネ
３０        踏板
３１        滑り止め突起
４０        サポート部
４０１      補強リブ
４１        係止片
４１１      フック孔
５０        サポートロッド
【図１】
0003196325.tif 000003
【図２】
0003196325.tif 000004
【図３】
0003196325.tif 000005
【図４】
0003196325.tif 000006
【図５】
0003196325.tif 000007
【図６】
0003196325.tif 000008
【図７】
0003196325.tif 000009
【図８】
0003196325.tif 000010